(57)【特許請求の範囲】
【請求項１】
パケットネットワークを使用して音声通話を実現する電話システムにおいて、
電話端末を内線収容する交換装置と、
前記パケットネットワークに関わる呼を処理する複数の呼処理サーバとを具備し、
前記交換装置は、
前記パケットネットワークに接続される第１トランクと、
前記パケットネットワークとプロトコルの異なる公衆ネットワークに接続される第２トランクと、
前記複数の呼処理サーバの状態を登録するためのサーバ状態管理テーブルと、
前記第１トランクの状態を管理するためのトランク状態管理テーブルと、
前記複数の呼処理サーバを監視し、その結果を前記サーバ状態管理テーブルに登録し、前記複数の呼処理サーバの全てに障害が生じると前記第１トランクを閉塞する監視部と、
前記電話端末からの発信要求を受け付けると前記トランク状態管理テーブルから前記第１トランクの状態を取得し、当該第１トランクが閉塞された状態であれば前記発信要求を前記第２トランクに転送して前記公衆ネットワークに迂回発信する呼制御部とを備えることを特徴とする電話システム。
【請求項２】
前記監視部は、前記呼処理サーバに定期的に問い合わせメッセージを送出し、この問い合わせメッセージに対する正常応答を得られなければ前記第１トランクを閉塞することを特徴とする請求項１に記載の電話システム。
【請求項３】
前記パケットネットワークはＩＰ（Internet Protocol）ネットワークであり、
前記呼処理サーバはＳＩＰ（Session Initiation Protocol）により前記呼を処理することを特徴とする請求項１に記載の電話システム。
【請求項４】
前記問い合わせメッセージは、ＳＩＰに規定されるＯＰＴＩＯＮＳメッセージであることを特徴とする請求項３記載の電話システム。
【請求項５】
前記監視部は、前記問い合わせメッセージを前記複数の呼処理サーバに同報的に送出することを特徴とする請求項１に記載の電話システム。
【請求項６】
パケットネットワークに関わる呼を処理する複数の呼処理サーバにより前記パケットネットワークを使用する音声通話を実現する電話システムに備えられ、電話端末を内線収容する交換装置において、
前記パケットネットワークに接続される第１トランクと、
前記パケットネットワークとプロトコルの異なる公衆ネットワークに接続される第２トランクと、
前記複数の呼処理サーバの状態を登録するためのサーバ状態管理テーブルと、
前記第１トランクの状態を管理するためのトランク状態管理テーブルと、
前記複数の呼処理サーバを監視し、その結果を前記サーバ状態管理テーブルに登録し、前記複数の呼処理サーバの全てに障害が生じると前記第１トランクを閉塞する監視部と、
前記電話端末からの発信要求を受け付けると前記トランク状態管理テーブルから前記第１トランクの状態を取得し、当該第１トランクが閉塞された状態であれば前記発信要求を前記第２トランクに転送して前記公衆ネットワークに迂回発信する呼制御部とを備えることを特徴とする交換装置。
【請求項７】
前記監視部は、
前記呼処理サーバに定期的に問い合わせメッセージを送出し、この問い合わせメッセージに対する正常応答を得られなければ当該呼処理サーバに障害が生じたとして前記第１トランクを閉塞することを特徴とする請求項６に記載の交換装置。
【請求項８】
前記パケットネットワークはＩＰ（Internet Protocol）ネットワークであり、
前記呼処理サーバはＳＩＰ（Session Initiation Protocol）により前記呼を処理することを特徴とする請求項７に記載の交換装置。
【請求項９】
前記問い合わせメッセージは、ＳＩＰに規定されるＯＰＴＩＯＮＳメッセージであることを特徴とする請求項８記載の交換装置。
【請求項１０】
前記監視部は、前記問い合わせメッセージを前記複数の呼処理サーバに同報的に送出することを特徴とする請求項６に記載の交換装置。
【請求項１１】
パケットネットワークに接続される第１トランクと、前記パケットネットワークとプロトコルの異なる公衆ネットワークに接続される第２トランクとを備える交換装置における発信制御方法であって、
前記パケットネットワークに備わる複数の呼処理サーバを監視し、
前記監視の結果をサーバ状態管理テーブルに登録し、
前記サーバ状態管理テーブルに前記複数の呼処理サーバの全てが障害の旨が登録されると、前記第１トランクを閉塞してその旨をトランク状態管理テーブルに登録し、
前記電話端末から前記パケットネットワークに宛てた発信要求が生じると前記トランク状態管理テーブルから前記第１トランクの状態を取得し、
前記第１トランクの状態が閉塞された状態であれば前記発信要求を前記第２トランクに転送して前記公衆ネットワークに迂回発信することを特徴とする発信制御方法。
【請求項１２】
前記呼処理サーバに定期的に問い合わせメッセージを送出し、この問い合わせメッセージに対する正常応答を得られなければ前記第１トランクを閉塞することを特徴とする請求項１１に記載の発信制御方法。
【請求項１３】
前記パケットネットワークはＩＰ（Internet Protocol）ネットワークであり、
前記呼処理サーバはＳＩＰ（Session Initiation Protocol）により呼を処理することを特徴とする請求項１１に記載の発信制御方法。
【請求項１４】
前記問い合わせメッセージは、ＳＩＰに規定されるＯＰＴＩＯＮＳメッセージであることを特徴とする請求項１３記載の発信制御方法。
【請求項１５】
前記問い合わせメッセージは前記複数の呼処理サーバに同報的に送出されることを特徴とする請求項１１に記載の発信制御方法。
【発明の詳細な説明】
【技術分野】
【０００１】
この発明は、ＩＰ（Internet Protocol）ネットワークを介して音声通話を実現する電話システムとこのシステムに用いられる交換装置、およびその発信制御方法に関する。
【背景技術】
【０００２】
インターネットなどのベストエフォート型ネットワークを利用して音声通話を実現するシステムが知られている。この種のシステムはＩＰ電話システム、あるいはＶｏＩＰ（Voice over IP）と称され、次世代の電話システムとして期待されている。このシステムに用いられるプロトコルはＳＩＰ（Session Initiation Protocol）が代表的であり、電話機（以下、ＩＰ端末と表記する）にＳＩＰ処理機能を備えることで種々の特有のサービスを受けることができる。もちろん、ＳＩＰ処理機能を持たない旧来の電話機も含めて種々の端末をＳＩＰネットワークに接続することができる。
【０００３】
ＳＩＰネットワークはＬＡＮ（Local Area Network）との親和性から、構内内線ネットワークとして形成されることが多い。内線ネットワークからの外線発信に際しては、構内交換装置（Private Branch eXchange：ＰＢＸ）のＳＩＰトランクを経由してＳＩＰメッセージ（ＩＮＶＩＴＥ）が外線ネットワークのＳＩＰサーバに送出される。
【０００４】
ところで、ＳＩＰサーバが障害状態であれば呼制御が実施されず通話ができない。よって冗長構成をとり、ＳＩＰメッセージの送出後タイムアウトしたサーバから次のサーバへと、順次アクセスする方式がとられる。しかしながら全てのＳＩＰサーバがダウンしているとＳＩＰトランクからの発信ができず、他のトランク（アナログトランク、ＩＳＤＮトランクなど）を用いた迂回発信に切り替えざるを得なくなる。
【０００５】
既存の技術ではＩＮＶＩＴＥのトランザクションタイマデフォルト値が３２秒と決められており、３２秒をサーバの数に掛けた分だけ、発信者は待たされることになる。トランザクションタイマ値を短くすれば迂回発信までの時間を短くできるが、待たされることには変わりない。待ち時間の解消のためには発信操作前に事前にＳＩＰトランク（あるいはＳＩＰサーバ）の状態を知り、直ちに迂回発信できることが必要である。
【０００６】
ＳＩＰサーバからＳＩＰ端末の状態をチェックする手法は知られているが（特許文献１を参照）、本願発明の対象はＳＩＰサーバまたはＳＩＰトランクの状態であり、立場が逆であるのでこの手法を適用できない。ＳＩＰにおけるレジストレーション（Registration）結果を参照してＳＩＰサーバの状態を監視することも考えられているが、レジストレーションを使用しないＳＩＰネットワークが近年増えてきていることからこの手法は汎用的ではなく、確実さにも欠ける。
【特許文献１】特開２００６−１６６０１８号広報
【発明の開示】
【発明が解決しようとする課題】
【０００７】
以上述べたように既存の技術では、ＳＩＰサーバの状態を汎用的な手法によって発信前に知ることができない。もしもＳＩＰサーバやＳＩＰトランクがダウンしている状態で発信すると迂回発信までに発呼者が長い時間待たされることになるので、何らかの対処が望まれている。
【０００８】
この発明は上記事情によりなされたもので、その目的は、迅速かつ確実に迂回発信できるようにした電話システムとその交換装置および発信制御方法を提供することにある。
【課題を解決するための手段】
【０００９】
上記目的を達成するためにこの発明の一態様によれば、パケットネットワークを使用して音声通話を実現する電話システムにおいて、電話端末を内線収容する交換装置と、前記パケットネットワークに関わる呼を処理する複数の呼処理サーバとを具備し、前記交換装置は、前記パケットネットワークに接続される第１トランクと、前記パケットネットワークとプロトコルの異なる公衆ネットワークに接続される第２トランクと、前記複数の呼処理サーバを監視し、これらの複数の呼処理サーバの全てに障害が生じると前記第１トランクを閉塞する監視部と、前記電話端末から前記パケットネットワークに宛てた発信要求が前記第１トランクの閉塞された状態で生じると、この発信要求を前記第２トランクに転送して前記公衆ネットワークに迂回発信する呼制御部とを備えることを特徴とする電話システムが提供される。
【００１０】
このような手段を講じることによりＳＩＰサーバの状態は交換装置から監視され、例えばデータベース化されて、発信要求の有無に関わらず定常的に管理される。この状態から発信要求が生じると、仮に第１トランク（ＳＩＰトランクなど）が閉塞されていれば直ちに第２トランク（アナログトランクなど）への迂回発信が行われる。従って迂回発信を確実に、かつ発呼から迅速に実施することが可能になる。
【発明の効果】
【００１１】
この発明によれば、迅速かつ確実に迂回発信できるようにした電話システムとその交換装置および発信制御方法を提供することができる。
【発明を実施するための最良の形態】
【００１２】
図１は、この発明に関わる電話システムの実施の形態を示すシステム図である。図１において、複数のＩＰ端末１１〜１ｎ，５，２１〜２ｎはＬＡＮ（Local Area Network）を介して接続されて構内電話網を形成する。ＩＰ端末１１〜１ｎは例えば専用の電話機である。ＩＰ端末５は、例えばパーソナルコンピュータに音声通話ソフトウェアをインストールしたいわゆるソフトフォンである。ＩＰ端末２１〜２ｎもソフトフォンの範疇に含めてよく、設定によりＩＰ端末１１〜１ｎに連動するコンピュータとして機能する。
【００１３】
ＩＰ端末１１〜１ｎ，５，２１〜２ｎは、ＬＡＮを介して構内交換機（ＰＢＸ）４に収容される。ＰＢＸ４はＳＩＰネットワーク１００と公衆網（Public Switched Telephone Network）とに接続される。このうちＰＳＴＮ２００には外線端末としての電話機５０が属する。ＰＢＸ４はＩＰ端末１１〜１ｎ，５，２１〜２ｎの相互間の内線通話のほか、各ＩＰ端末と外線端末との呼接続を制御する。
【００１４】
ＳＩＰネットワーク１００は互いに冗長系をなすＳＩＰサーバ６１，６２を備える。ＳＩＰサーバ６１，６２はいずれもＳＩＰを処理する機能を持ち、発呼元と着呼先との間に通信リンクを形成するための呼接続処理などを行う。このうちＳＩＰサーバ６１をプライマリサーバとして機能させ、ＳＩＰサーバ６２をセカンダリサーバとしてＳＩＰサーバ６１の障害時に備える。ただし両方のＳＩＰサーバ６１，６２が障害状態となることもある。
【００１５】
ＳＩＰネットワーク１００にはこのほか別の構内電話網が属し、この構内電話網には交換機７と電話端末８１〜８ｍとが設けられる。ＳＩＰネットワーク１００とＰＳＴＮ２００とはゲートウェイ（図示せず）などを介して相互に接続され、いずれの端末もネットワークインタフェースを意識することなく相互に通話できる。このように図１のシステムはＳＩＰネットワーク１００を中核とし、ＳＩＰを用いて端末間の音声通話を実現する。
【００１６】
図２は、図１のＰＢＸ４の実施の形態を示す機能ブロック図である。ＰＢＸ４は、中央処理部４１、メモリ４２、スイッチ部４３、アナログトランク４４、および、ＳＩＰトランク４５を備える。アナログトランク４４はＰＳＴＮ２００に接続され、ＰＳＴＮ２００と装置内部とのインタフェースの変換などの処理を行う。ＳＩＰトランク４５はＳＩＰネットワーク１００に接続され、ＩＰパケットからの時分割信号の抽出などの処理を行う。スイッチ部４３はＬＡＮに接続され、ＳＩＰネットワーク１００、ＰＳＴＮ２００およびＬＡＮを相互に交換接続する。
【００１７】
ところでＳＩＰトランク４５は、ＳＩＰ発信を制御するＳＩＰ呼制御部４５ａに加え、この実施形態に係わる新たな処理機能としてＳＩＰサーバ監視部４１ｂを備える。ＳＩＰサーバ監視部４５ｂはＳＩＰサーバ６１，６２の状態を定期的に監視し、その結果をＳＩＰサーバ状態管理テーブル４５ｃにテーブル化して管理する。全てのＳＩＰサーバ６１，６２に障害を検出すると、ＳＩＰサーバ監視部４５ｂはＳＩＰトランク４５を閉塞状態とする。同様にアナログトランク４４もＰＳＴＮ２００を監視する機能を備え、アナログトランク４４の状態（閉塞／閉塞解除）が定期的に監視される。そうしてＳＩＰトランク４５の状態（障害閉塞／閉塞解除）は、アナログトランク４４の状態と併せてトランク状態管理テーブル４２ａ（メモリ４２）にテーブル化して管理される。
【００１８】
各セクションは中央処理部４１により統括的に制御される。中央処理部４１は呼制御部４１ａを備える。呼制御部４１ａは、ＳＩＰネットワーク１００への発信、すなわちＳＩＰトランク発信要求が生じると、まずトランク状態管理テーブル４２ａを参照する、そしてＳＩＰトランク４５が閉塞されていればこの発信要求をアナログトランク４４に直ちに転送し、ＰＳＴＮ２００への迂回発信を行う。
【００１９】
図３は、ＳＩＰサーバ監視部４５ｂによる処理を説明するための模式図である。ＳＩＰサーバ監視部４５ｂは問い合わせメッセージを各ＳＩＰサーバ６１，６２に定期的に送出し、正常応答を得られれば、問い合わせたＳＩＰサーバの監視結果をＯＫとしてテーブル４５ｃに登録する。正常応答を得られなければ、ＳＩＰサーバ監視部４５ｂは監視結果をＮＧとしてテーブル４５ｃに登録する。図３にはＳＩＰサーバ６２に何らかの障害が生じていることが示される。仮にＳＩＰサーバ６１，６２がＮＧとなればＳＩＰトランク４５が障害閉塞され、その旨がトランク状態管理テーブル４２ａに登録される。
【００２０】
すなわちＳＩＰサーバ状態管理テーブル４５ｃには、ＳＩＰネットワーク１００に属する複数のＳＩＰサーバの監視結果（ＯＫまたはＮＧ）が登録される。ＳＩＰサーバ監視部４５ｂはＳＩＰサーバの監視結果をテーブル４５ｃに登録する。全てのＳＩＰサーバがＮＧになればＳＩＰサーバ監視部４５ｂはＳＩＰトランク４５の障害閉塞を設定し、その旨をトランク状態管理テーブル４２ａに登録する。その後、いずれかのＳＩＰサーバが１つでもＯＫとなれば、ＳＩＰサーバ監視部４５ｂはＳＩＰトランク４５の閉塞解除を設定し、その旨をトランク状態管理テーブル４２ａに登録する。
【００２１】
ＳＩＰサーバの障害はＳＩＰサーバ自体の機能障害のほか、通信経路の不具合によるアクセス障害なども含む。この実施形態ではＳＩＰに規定されるＯＰＴＩＯＮＳメッセージをＳＩＰサーバ６１，６２に同報的に送出し、その応答をモニタすることでＳＩＰサーバ監視部４５ｂはＳＩＰサーバ６１，６２を監視する。
【００２２】
ＯＰＴＩＯＮＳメッセージは対象の能力（サポート機能の種別など）を問い合わせるために使用されるメッセージで、ＳＩＰに規定される各メッセージのうちネットワークに影響を及ぼさない唯一のメッセージである。よってポーリングよりはむしろ同報的送信に使用できるメッセージであり、対象（ＳＩＰサーバ）の数が如何に多くとも１回のタイムアウト（３２秒）を待つだけで結果を得ることができる。発明者はこの点に着目し、この実施形態ではＯＰＴＩＯＮＳメッセージに対するＳＩＰサーバの反応をモニタすることで障害の有無を検出するようにしている。
【００２３】
図４は、呼制御部４１ａによる処理を説明するための模式図である。図４において、ＳＩＰトランク４５の状態（閉塞／閉塞解除）はＳＩＰサーバ監視部４５ｂによりトランク状態管理テーブル４２ａにリアルタイムで登録される。この状態から発信要求が生じると、呼制御部４１ａはまずトランク状態管理テーブル４２ａを参照する。発端末がＩＰ端末１１であれば、生じた発信要求はＳＩＰネットワーク１００に宛てたＳＩＰ発信要求であり、この場合はＳＩＰトランク４５の状態が参照される。図４によればＳＩＰトランク４５は障害により閉塞されているので、呼制御部４１ａはＰＳＴＮ２００への迂回発信を行う。次に、上記構成における作用を詳しく説明する。
【００２４】
図５はＳＩＰトランク４５が正常である状態（非閉塞）におけるＳＩＰトランク発信を示す模式図である。ＳＩＰサーバ監視部４５ｂはＳＩＰサーバ６１，６２にＯＰＴＩＯＮＳメッセージを定期的に送出し、その結果をモニタする。２００  ＯＫ（ＯＰＴＩＯＮＳ）レスポンスを受信できればその送出元のサーバは正常である。仮にＯＰＴＩＯＮＳメッセージ受信をＳＩＰサーバがサポートしていなくても、エラーレスポンス（ＯＰＴＩＯＮＳ）を受信できればそのＳＩＰサーバは正常であると看做せる。
【００２５】
この状態からＩＰ端末１１（発端末）から電話機５０（着端末）に宛てたＳＩＰトランク発信が行われると、ＰＢＸ４の呼制御部４１ａはトランク状態管理テーブル４２ａからＳＩＰトランク４５の状態を取得する。ＳＩＰトランク４５は閉塞解除状態であるので呼制御部４１ａはＳＩＰ呼制御部４５ａに発信要求を送り、ＳＩＰネットワーク１００にＩＮＶＩＴＥメッセージが送出されて通常の呼接続シーケンスが開始される。その後、発信呼はＳＩＰネットワーク１００からＰＳＴＮ２００を経由して電話機５０に着信する。
【００２６】
図６はＳＩＰトランク４５が閉塞された状態での発信を示す模式図である。ＳＩＰネットワーク１００に障害が生じると、ＳＩＰサーバ監視部４５ｂからのＯＰＴＩＯＮＳメッセージがＳＩＰサーバ６１，６２に届かなくなり、レスポンスが帰ってこなくなる。この状態が３２秒つづくとＯＰＴＩＯＮＳメッセージのタイムアウトになり、ＳＩＰサーバ監視部４５ｂは監視結果をＮＧとしてＳＩＰサーバ状態管理テーブル４５ｃに記録する。ＳＩＰサーバ６１，６２がダウンした状態でも同じようにレスポンスが無くなり、ＮＧとなる。全てのＳＩＰサーバ６１，６２がＮＧとなれば、ＳＩＰサーバ監視部４５ｂはＳＩＰトランク４５が障害閉塞となったことをトランク状態管理テーブル４２ａに記録する。
【００２７】
この状態から、ＩＰ端末１１から電話機５０へのＳＩＰトランク発信が行われると、呼制御部４１ａはＳＩＰトランク４５が閉塞されていることをトランク状態管理テーブル４２ａから検知する。そうするとただちに呼制御部４１ａはアナログトランク４４に発信要求を転送し、ＰＳＴＮ２００側において呼接続シーケンスが開始される。このようにして発信呼はアナログトランク４４に迂回して電話機５０に着信する。
【００２８】
図７は、この実施形態におけるＰＢＸ４の処理手順を示すフローチャートである。図７において、ＳＩＰサーバ監視部４５ｂはＳＩＰネットワーク１００にＯＰＴＩＯＮＳメッセージを送出し（ブロックＢ１）、正常応答の有無を監視する（ブロックＢ２）。正常応答が無ければ（Ｎｏ）、ＳＩＰサーバ監視部４５ｂはＳＩＰトランク４５を閉塞し（ブロックＢ３）、正常応答を得た場合（Ｙｅｓ）と同様にトランク状態管理テーブル４２ａを更新する（Ｂ４）。この手順は発呼（発信要求）が生じるまで定期的に継続される。
【００２９】
発呼が生じると（ブロックＢ５でＹｅｓ）呼制御部４１ａはトランク状態管理テーブル４２ａを参照し（ブロックＢ６）、ＳＩＰ発信要求に対してはＳＩＰトランク４５の状態を取得する。ＳＩＰトランク４５が閉塞されていなければ（ブロックＢ７でＮｏ）、ＳＩＰトランク４５を用いて通常のＩＮＶＩＴＥ発信が実施されるが、ＳＩＰトランク４５が閉塞されていれば（ブロックＢ７でＹｅｓ）、アナログトランク４４からの迂回発信が実施される（ブロックＢ８）。
【００３０】
以上説明したようにこの実施形態では、ＳＩＰネットワーク１００に属するアクセス可能な全てのＳＩＰサーバにＯＰＴＩＯＮＳメッセージを同報的に送出し、その応答をモニタすることにより各ＳＩＰサーバの状態を定期的に監視する。何らかの応答（２００ＯＫまたはエラーレスポンス）を得られれば正常とし、応答が無ければ障害として、各サーバの状態をＳＩＰサーバ状態管理テーブル４５ｃに記録する。そして全てのＳＩＰサーバが障害になればＳＩＰトランク４５を閉塞し、そのことをトランク状態管理テーブル４２ａに記録する。このようにしているので、発信要求の生じる前にトランクの状態をリアルタイムで管理でき、発信要求が生じれば直ちに正常なトランクへの迂回発信を行うことが可能になる。
【００３１】
またこの実施形態では、ＯＰＴＩＯＮＳメッセージを用いてサーバの状態を検出するようにしている。ＯＰＴＩＯＮＳは同報送信に使うのに適しており、従ってすべてのサーバに対する監視の結果を即座に得ることができ、また、監視の頻度を上げることもできる。さらに、ＯＰＴＩＯＮＳをサポートしないシステムでも何らかのレスポンスが返されるので、ＲＥＧＩＳＴＥＲメッセージを用いるのに比べて汎用的である。これらのことから、迅速かつ確実に迂回発信できるようにした電話システムとその交換装置および発信制御方法を提供することが可能となる。
【００３２】
なお、この発明は上記実施の形態に限定されるものではない。例えばこの実施形態ではＳＩＰトランク４５、アナログトランク４４と２個のトランクのみを例示したが、このほかＩＳＤＮトランクを対象にしたり、もっと多数のトランクを取り扱うことも同様に可能である。複数のトランクをグループ化し、グループ内のトランク間でのみ迂回発信を行えるようにしても良い。この場合にはトランクグループ番号を各トランクに割り当てて管理するのが有効である。
【００３３】
またこの実施形態では、ＳＩＰトランク４５の障害時にその迂回先をアナログトランク４４として説明したが、その逆、すなわちアナログトランク４４の障害時にその迂回先をＳＩＰトランク４５とするようにしても良い。つまり、ＳＩＰトランク４５を呼処理手順の先頭に登録する必要は必ずしも無く、アナログトランク４４が障害閉塞時にＳＩＰトランク４５に迂回するようにしても良い。
【００３４】
さらに、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００３５】
【図１】この発明に関わる電話システムの実施の形態を示すシステム図。
【図２】図１のＰＢＸ４の実施の形態を示す機能ブロック図。
【図３】ＳＩＰサーバ監視部４５ｂによる処理を説明するための模式図。
【図４】呼制御部４１ａによる処理を説明するための模式図。
【図５】ＳＩＰトランク４５が正常な状態でのＳＩＰトランク発信を示す模式図。
【図６】ＳＩＰトランク４５が閉塞された状態での発信を示す模式図。
【図７】この発明の実施形態におけるＰＢＸ４の処理手順を示すフローチャート。
【符号の説明】
【００３６】
１１〜１ｎ，５，２１〜２ｎ…ＩＰ端末、４…交換機（ＰＢＸ）、６１，６２…ＳＩＰサーバ、７…交換機、５０…電話機、８１〜８ｍ…電話端末、１００…ＳＩＰネットワーク、２００…公衆網（ＰＳＴＮ）、４１…中央処理部、４１ａ…呼制御部、４２…メモリ、４２ａ…トランク状態管理テーブル、４３…スイッチ部、４４…アナログトランク、４５…ＳＩＰトランク、４５ａ…ＳＩＰ呼制御部、４５ｂ…ＳＩＰサーバ監視部、４５ｃ…ＳＩＰサーバ状態管理テーブル
【図１】
0004599424.tif 000002
【図２】
0004599424.tif 000003
【図３】
0004599424.tif 000004
【図４】
0004599424.tif 000005
【図５】
0004599424.tif 000006
【図６】
0004599424.tif 000007
【図７】
0004599424.tif 000008